(57)【要約】      （修正有）【課題】光ファイバの引き出し方向を自由に選択できる光コネクタ用プラグアダプタを提供。【解決手段】光コネクタ用プラグアダプタ１の第１のハウジング２０にプラグ装着部材４０が回転自在に支持されており、ピン８０が挿入空間４０１１内に突出している。プラグ装着部材の挿入空間に挿入された光コネクタプラグがピンに当接する以前は、光コネクタプラグによってプラグ装着部材が回転し、光コネクタプラグがピンに当接すると、ピンは第２のハウジング３０の孔３０２１の内周面に当接してピンが挿入空間４０１１からの退避が阻止される。光コネクタプラグをさらに挿入空間に挿入すると、ピンが凹部３０２３に係入し、光コネクタプラグの先端が結合部７０２に挿入されるとともに、ピンと凹部との係合によりプラグ装着部材の回転が阻止される。【選択図】  図１
2006119213.tif 000002
【特許請求の範囲】
【請求項１】
同軸上で互いに対向する２つのアダプタ部が設けられたハウジングを備え、前記アダプタ部に、光ファイバの先端部に取り付けられた光コネクタプラグが挿入される挿入空間と、前記２つの光コネクタプラグを同軸上で連結する結合部と、光コネクタプラグを着脱自在に保持する保持手段とを設けた光コネクタ用プラグアダプタにおいて、
前記２つのアダプタ部の少なくともいずれか一方を形成するプラグ装着部材を設け、
このプラグ装着部材を前記ハウジングに回転自在に支持させ、
前記プラグ装着部材の挿入空間に挿入される光コネクタプラグの先端が前記結合部に結合される以前に前記プラグ装着部材の回転を規制する回転規制手段を設けたことを特徴とする光コネクタ用プラグアダプタ。
【請求項２】
請求項１記載の光コネクタ用プラグアダプタにおいて、
前記プラグ装着部材の外周面を略円形状に形成し、前記回転規制手段を、前記プラグ装着部材の挿入空間に進退自在で挿入空間に挿入される光コネクタプラグによってプラグ装着部材の外周面の外側に退避するピンと、このピンを前記挿入空間内に突出する方向に付勢する付勢手段と、前記プラグ装着部材の外周面に対向し前記ピンの前記挿入空間からの退避を阻止する前記ハウジングの内周面と、この内周面の周方向に間隔をおいて設けられ前記挿入空間から退避する前記ピンが係入される複数の係入部とによって構成したことを特徴とする光コネクタ用プラグアダプタ。
【発明の詳細な説明】
【技術分野】
【０００１】
本発明は、２つの光ファイバの先端部のそれぞれに取り付けられた各光コネクタプラグを同軸上で連結する光コネクタ用プラグアダプタに関するものである。
【背景技術】
【０００２】
２つの光ファイバを同軸上で接続する場合、これら光ファイバのそれぞれの先端部に光コネクタプラグを取り付けておき、これら光コネクタを互いに対向するように光コネクタ用プラグアダプタの挿入空間に挿入嵌合することにより、２つの光ファイバが一直線状に延在するように連結されるものがある（例えば、特許文献１，２参照）。なお、本出願人は、本明細書に記載した先行技術文献情報で特定される先行技術文献以外には、本発明に密接に関連する先行技術文献を出願時までに見付け出すことはできなかった。
【特許文献１】特開平３−２９６００５号公報（２頁左上欄１５行〜右上欄１６行、図６および図７）
【特許文献２】特開平５−４５５３８号公報（段落「０００４」〜「０００６」、図８乃至図１０）
【発明の開示】
【発明が解決しようとする課題】
【０００３】
ところで、本出願人は、特願２００３−３１４０８６および特願２００４−０６７９５９において、光ファイバを９０°折り曲げた状態でプラグアダプタに連結できる光コネクタプラグを提案している。この光コネクタプラグによれば、光ファイバの延在方向を変えることはできるが、その折り曲げる方向は任意ではなく、一方向のみにしか折り曲げることができない。一方、上述した従来の光コネクタ用プラグアダプタにおいては、光コネクタ用プラグアダプタに装着した光コネクタプラグを軸線回りに回動することができない構造になっている。このため、この従来の光コネクタ用プラグアダプタに特願２００３−３１４０８６および特願２００４−０６７９５９において提案した光コネクタプラグを装着したとき、折り曲げられた方向に他の光ファイバが存在している場合があり、この場合には装着の作業の邪魔になるといった問題がある。これを解決するために、装着した光コネクタプラグを軸線回りに回転自在とする光コネクタ用プラグアダプタが提案されたことがある。しかしながら、この種の光コネクタにおいては、２つの光コネクタプラグのフェルールの端面どうしを密着した状態で連結する構造であるため、フェルールの端面の損傷を防止するために、フェルールの端面どうしを密着させた後に光コネクタプラグの回転を規制する作業が必要になる。この作業は、接続する光ファイバの本数が増加すると、その本数分必要になるため、作業効率が低下するという問題があった。
【０００４】
本発明は上記した従来の問題に鑑みなされたものであり、その目的とするところは、フェルールの端面を損傷させることなく、簡単な作業によって折り曲げられた光ファイバの引き出し方向を自由に選択できる光コネクタ用プラグアダプタを提供することにある。
【課題を解決するための手段】
【０００５】
この目的を達成するために、請求項１に係る発明は、同軸上で互いに対向する２つのアダプタ部が設けられたハウジングを備え、前記アダプタ部に、光ファイバの先端部に取り付けられた光コネクタプラグが挿入される挿入空間と、前記２つの光コネクタプラグを同軸上で連結する結合部と、光コネクタプラグを着脱自在に保持する保持手段とを設けた光コネクタ用プラグアダプタにおいて、前記２つのアダプタ部の少なくともいずれか一方を形成するプラグ装着部材を設け、このプラグ装着部材を前記ハウジングに回転自在に支持させ、前記プラグ装着部材の挿入空間に挿入される光コネクタプラグの先端が前記結合部に結合される以前に前記プラグ装着部材の回転を規制する回転規制手段を設けたものである。
【０００６】
請求項２に係る発明は、請求項１に係る発明において、前記プラグ装着部材の外周面を略円形状に形成し、前記回転規制手段を、前記プラグ装着部材の挿入空間に進退自在で挿入空間に挿入される光コネクタプラグによってプラグ装着部材の外周面の外側に退避するピンと、このピンを前記挿入空間内に突出する方向に付勢する付勢手段と、前記プラグ装着部材の外周面に対向し前記ピンの前記挿入空間からの退避を阻止する前記ハウジングの内周面と、この内周面の周方向に間隔をおいて設けられ前記挿入空間から退避する前記ピンが係入される複数の凹部とによって構成したものである。
【発明の効果】
【０００７】
本発明によれば、アダプタ部の挿入空間に挿入された光コネクタプラグの先端が結合部に結合される以前においては、プラグ装着部材が回転自在であるため、光ファイバの引き出し方向を任意に選択することができる。光ファイバの引き出し方向が決まり、光コネクタプラグの先端を結合部に結合すると、２つの光コネクタプラグが同軸上に連結されるとともに、プラグ装着部材が回転規制手段によって回転を規制されるため、光コネクタプラグの先端の損傷を防止することができる。
【発明を実施するための最良の形態】
【０００８】
以下、本発明の実施の形態を図に基づいて説明する。図１は本発明に係る光コネクタ用プラグアダプタを示し、同図（Ａ）は側面図、同図（Ｂ）は同図（Ａ）におけるI（Ｂ）-I（Ｂ） 線断面図、同図（Ｃ）は同図（Ａ）におけるI（Ｃ）-I（Ｃ） 線断面図、図２は同じく第１のハウジングを示し、同図（Ａ）は側面図、同図（Ｂ）は同図（Ａ）におけるII（Ｂ）-II（Ｂ） 線断面図、同図（Ｃ）は同図（Ａ）におけるII（Ｃ）-II（Ｃ） 線断面図、図３は同じく第２のハウジングを示し、同図（Ａ）は側面図、同図（Ｂ）は同図（Ａ）におけるIII（Ｂ）-III（Ｂ） 線断面図、同図（Ｃ）は同図（Ａ）におけるIII（Ｃ）-III（Ｃ） 線断面図である。
【０００９】
図４は本発明に係る光コネクタ用プラグアダプタにおけるプラグ装着部材を示し、同図（Ａ）は側断面図、同図（Ｂ）は同図（Ａ）におけるIV（Ｂ）矢視図、同図（Ｃ）は同図（Ａ）におけるIV（Ｃ）矢視図、同図（Ｄ）は同図（Ｃ）におけるIV（Ｄ）-IV（Ｄ） 線断面図、同図（Ｅ）は同図（Ｄ）におけるIV（Ｅ）矢視図、図５は同じく板ばねを示し、同図（Ａ）は平面図、同図（Ｂ）は正面図、図６は同じく蓋体を示し、同図（Ａ）は平面図、同図（Ｂ）は正面図、図７は同じく結合部材を示し、同図（Ａ）は正面図、同図（Ｂ）は側面図である。
【００１０】
図１に全体を符号１で示す本発明に係る光コネクタ用プラグアダプタは、第１のハウジング２０と、第２のハウジング３０と、これら第１および第２のハウジング２０，３０内に回転自在に支持されるプラグ装着部材４０と、このプラグ装着部材４０に取り付けられ後述するピン８０を付勢する板ばね５０と、プラグ装着部材４０の挿入空間４０１１の開口を開閉する蓋体６０と、プラグ装着部材４０のアダプタ部１４Ａおよび第２のハウジング３０のアダプタ部１４Ｂに設けられる結合部材７０とによって概略構成されている。
【００１１】
次に、図２を用いて、第１のハウジング２０について説明する。第１のハウジング２０は、扁平な直方体状に形成された第１のフランジ２０１と、この第１のフランジ２０１の一方の端面から突設され角筒状に形成された第１の膨出部２０２と、第１のフランジ２０１の他方の端面から突設され円筒状に形成された第２の膨出部２０３とによって一体に形成されている。第１のフランジ２０１には、４個のねじを挿通するための挿通孔２０１１が設けられている。
【００１２】
第１の膨出部２０２には断面が矩形状に形成された挿入空間として孔２０２１が設けられており、この孔２０２１の内周面の対向する部位には軸線方向に延在し結合部材７０の弾性係止片７０４が開閉するためのスペースとなる長溝２０２２，２０２２が設けられ、孔２０２１の一部には軸線方向に延在し光コネクタプラグを案内する案内溝２０２３が設けられている。第２の膨出部２０３側には孔２０２１に連通する断面が円形に形成された孔２０３１が設けられており、この孔２０３１の開口端側の内周面にはねじ部２０３２が設けられ、このねじ部２０３２の一部には、孔２０３１の壁を貫通するねじ孔２０３３が螺設されている。孔２０３１の底部２０３４の一部には一対の段部２０３５，２０３５が対向するように突設されている。
【００１３】
次に、図３を用いて、第２のハウジング３０について説明する。第２のハウジング３０は、第１のハウジング２０の第１のフランジ２０１の端面に一方の端面が対接する扁平な直方体状に形成された第２のフランジ３０１と、このフランジ３０１の他方の端面から一体に突設された扁平な直方体状に形成された第３の膨出部３０２とによって構成されている。第２のフランジ３０１には、第１のハウジング２０の第２の膨出部２０３が嵌合する孔３０１１が設けられているとともに、一方の端面に上記した第１のハウジング２０の第１フランジ２０１の挿通孔２０１１に挿通されたねじが螺合するねじ孔３０１２が螺設されている。第３の膨出部３０２には、孔３０１１と連通し孔３０１１よりも径が小さく形成された孔３０２１が設けられており、この孔３０２１よりもわずかに小さい径に形成された孔３０２２が第３の膨出部３０２の端面に開口している。
【００１４】
孔３０２１の内周面には、周方向に９０°の間隔をおいた４個の係入部としての凹部３０２３が孔３０２１の半径方向の外側に向かって凹設されている。孔３０２１の内周面は後述するピン８０の挿入空間４０１１からの退避を規制する規制面として機能する。また、４個の凹部３０２３とピン８０とは、ピン８０が挿入空間４０１１から退避しこれら４個の凹部３０２３のいずれかに係入したときに、プラグ装着部材４０の回転を規制する後述する回転規制手段９０を構成する。これら４個の凹部３０２３のうち２つの凹部３０２３は第２のフランジ３０１の短辺の中央に位置付けられ、他の２つの凹部３０２３は第２のフランジ３０１の長辺の中央に位置付けられている。
【００１５】
次に、図４を用いて、プラグ装着部材４０について説明する。プラグ装着部材４０は、正面視円形に形成された第３のフランジ４０１と、この第３のフランジ４０１の端面から一体に突設され、第３のフランジ４０１よりも径が小さい正面視略円形に形成された第４の膨出部４０２とによって略中空状に形成されている。第３のフランジ４０１の直径は、この第３のフランジ４０１が第１のハウジング２０の孔２０３１に回転自在に支持される寸法に形成されている。
【００１６】
これら第３のフランジ４０１と第４の膨出部４０２とには、両端が開口し断面が矩形状に形成された孔４０１１がこれら第３のフランジ４０１と第４の膨出部４０２とを貫通形成されるように設けられており、この孔４０１１が後述する一方のアダプタ部１４Ａの挿入空間を形成する。この孔４０１１の内周面の対向する部位には、弾性係止片７０４が開閉するためのスペースとなる長溝４０１２，４０１２が軸線方向に延在するように設けられている。
【００１７】
孔４０１１の一方の開口端には、同図（Ｄ）に示すように、互いに対向する段部４０１３，４０１３が設けられている。第４の膨出部４０２の外周面には、軸線方向に延在する凹部４０２１が設けられており、この凹部４０２１の一端側の底部には孔４０１１に連通する小孔４０２２が穿孔されている。また、凹部４０２１の延在方向の延長上における第３のフランジ４０１には切欠き４０１４が設けられており、この切欠き４０１４の底部にはねじ孔４０１５が螺設されている。
【００１８】
第４の膨出部４０２の外周面で凹部４０２１に対向する部位には、平坦面４０２４が設けられており、この平坦面４０２４には軸線方向に延在し孔４０１１に挿入される光コネクタプラグを案内する案内溝４０２４が設けられている。また、第４の膨出部４０２の一方の端面には、後述する蓋体６０を枢支する一対の軸受部４０２５，４０２５が設けられている。
【００１９】
板ばね５０は、図５（Ｂ）に示すように、断面がクランク状に形成されており、一端部にねじが挿通される孔５０１が設けられ、他端部にＵ字溝５０２が設けられている。蓋体６０は、図６（Ａ）に示すように、平面視略半円形に形成され、一端側に互いに対向する一対の支持片６０１，６０１が突設されており、これら支持片６０１には軸を挿通させる孔６０２が設けられている。
【００２０】
結合部材７０は、図７に示すように、矩形状に形成された基部７０１を備え、この基部７０１の一方の面の中央部には筒状に形成された結合部７０２が突設されており、この結合部７０２の中心孔７０３は両端が開口している。また、基部７０１の一方の面の両側には互いに対向する一対の保持手段としての弾性係止片７０４が突設されており、基部７０１の他方の面の両端には一対凸部７０５，７０５が互い違いに突設されている。
【００２１】
次に、このように構成された光コネクタ用プラグアダプタの組立方法を説明する。予め、板ばね５０の孔５０１に挿通させたねじ５０３をプラグ装着部材４０のねじ孔４０１５に螺合させることにより、板ばね５０をプラグ装着部材４０の凹部４０２１に取り付ける。次いで、ピン８０を板ばね５０のＵ字溝５０２に取り付けた状態で、プラグ装着部材４０の小孔４０２２に挿入することにより、ピン８０の先端部が板ばね５０の付勢力によってプラグ装着部材４０の挿入空間である孔４０１１内に突出する。これらピン８０および板ばね５０と、ピン８０の頭部が対向しピン８０の挿入空間４０１１からの退避を規制する第２のハウジング３０の孔３０２１の内周面と、この内周面に形成された複数の凹部３０２３とが、プラグ装着部材４０の回転を規制する回転規制手段１００を構成している。
【００２２】
次に、２個の結合部材７０，７０の互いの凸部７０５，７０５を係合させるようにして基部７０１，７０１を対接させ、互いの結合部７０２，７０２の中心孔７０３，７０３に弾性スリーブを挿通させることにより、２個の係合部７０，７０を一体化する。次いで、プラグ装着部材４０の段部４０１３に一方の結合部材７０の基部７０１を係止させ、他方の結合部材７０の結合部７０２および弾性係止片７０４をプラグ装着部材４０の孔４０１１に臨ませることにより、孔４０１１に一方のアダプタ部１４Ａを形成する。
【００２３】
しかる後、第１のハウジング２０の孔２０３１内にプラグ装着部材４０の第３のフランジ４０１を挿入し、他方の結合部材７０の基部７０１を第１のハウジング２０の段部２０３５に係止させ、他方の結合部材７０の結合部７０２および弾性係止片７０４を挿入空間としての孔２０２１内に臨ませることにより、孔２０２１に他方のアダプタ部１４Ｂを形成する。
【００２４】
次いで、第１のハウジング２０の孔２０３１にワッシャ４４を挿入して底部２０３４に係止させ、リング状に形成した雄ねじ部材４６を第１のハウジング２０のねじ部２０３２に螺合させることにより、プラグ装着部材４０が第１のハウジング２０の孔２０３１に回転自在に支持される。第１のハウジング２０のねじ孔２０３３に止めねじ４８を螺合させることにより、雄ねじ部材４６を回転不能状態に固定する。
【００２５】
そして、第１のハウジング２０の第２の膨出部２０３を第２のハウジング３０の孔３０１１に嵌合し、第１のハウジング２０の第１のフランジ２０１と第２のハウジング３０の第２のフランジ３０１とを対接させる。第１のハウジング２０の挿通孔２０１１を挿通させたねじを、第２のハウジング３０のねじ孔３０１２に螺合させることにより、第１のハウジング２０と第２のハウジング３０とを結合する。プラグ装着部材４０の軸受部４０２５に軸を介して蓋部材６０の支持片６０１を枢支することにより、蓋部材６０がプラグ装着部材４０のアダプタ部１４Ａを開閉する。
【００２６】
このように形成された光コネクタ用プラグアダプタ１においては、図１（Ｃ）に示すように、ピン８０の頭部が第２のハウジング３０の孔３０２１の内周面に対向し、ピン８０がこの孔３０２１の内周面に係止されることにより、ピン８０のプラグ装着部材４０の孔４０１１からの退避を規制される。
【００２７】
次に、このように構成された光コネクタ用プラグアダプタ１に光コネクタプラグを装着する動作を説明する。図１において、蓋体６０を開き、一方のアダプタ部１４Ａの挿入空間４０１１に、特願２００３−３１４０８６および特願２００４−０６７９５９において出願済みの光ファイバを９０°折り曲げた状態で連結できる光コネクタプラグ（図示せず）を挿入する。なお、この光コネクタプラグがアダプタ部１４Ａに装着される部分の構造は、ＪＩＳ  Ｃ５９７３で規定される光コネクタプラグと同一である。
【００２８】
このようにアダプタ部１４Ａの挿入空間４０１１に挿入された光コネクタプラグは、先端がピン８０に当接するまでは、光コネクタプラグを回転させると、この光コネクタプラグと一体的にプラグ装着部材４０が回転する。したがって、光コネクタプラグの先端がピン８０に当接するまでは、光コネクタプラグの先端部を挿入空間４０１１に挿入し光コネクタプラグを自由に回転することができる。
【００２９】
光コネクタプラグの先端がピン８０に当接した後は、ピン８０の頭部が第２のハウジング３０の孔３０２１の内周面に当接することにより、ピン８０が小孔４０２２から挿入空間４０１１の外方への退避を阻止されるため、光コネクタプラグをそれ以上挿入空間４０１１へ挿入できなくなる。
【００３０】
この状態で、光コネクタプラグをわずかに回動させ、ピン８０の頭部が４個の凹部３０２３のいずれかに対向することにより、ピン８０の頭部が凹部３０２３内に係入可能な状態になる。したがって、光コネクタプラグをさらに挿入空間４０１１内に挿入することにより、ピン８０が板ばね５０の付勢力に抗して小孔４０２２から挿入空間４０１１の外方へ移動するため、ピン８０が凹部４０１１内に係入し、光コネクタプラグを挿入空間内４０１１の奥方に挿入可能になる。
【００３１】
光コネクタプラグを挿入空間４０１１の奥方に挿入すると、この光コネクタプラグのフェルールが結合部７０２に嵌合するとともに、弾性係止片７０４によって挿入された光コネクタプラグが保持されて、光コネクタプラグがアダプタ部１４Ａに装着される。この場合、他方のアダプタ部１４Ｂに図示を省略した直線状に延在する従来周知の光コネクタプラグが挿入され、この光コネクタプラグのフェルールが結合部７０２に嵌合するとともに、弾性係止片７０４によって挿入された光コネクタプラグが保持されているときには、２つの光コネクタプラグのフェルールの端面が密着した状態で対接する。
【００３２】
この状態では、アダプタ部１４Ａに装着された光コネクタプラグを回転させようとしても、ピン８０が凹部３０２３内に係入していることにより、プラグ装着部材４０の回転が阻止されるため回転はできない状態になっている。
【００３３】
このように、本実施の形態においては、アダプタ部１４Ａの挿入空間４０１１内に挿入される光コネクタプラグがピン８０に当接する以前には、光コネクタプラグを回転させ、９０°折り曲げられた光ファイバの引き出し方向を上下左右の４方向のうちの一方向に選択し、しかる後、光コネクタプラグを挿入空間４０１１の奥方へ挿入するといった簡単な作業により光コネクタプラグをアダプタ部１４Ａに装着することができる。
【００３４】
そして、ピン８０が４個の凹部３０２３のいずれかに係入されると、プラグ装着部材４０の回転が阻止されるため、プラグ装着部材４０のアダプタ部１４Ａの挿入空間４０１１内に挿入された光コネクタプラグの回転も規制される。したがって、光コネクタプラグの先端（フェルール）が結合部材７０の弾性スリーブ４９内に完全に挿入される以前、すなわち、光コネクタプラグの先端（フェルール）が弾性スリーブ４９内に挿入されて双方のフェルールの端面が対接される以前に、プラグ装着部材４０の回転が阻止されるため、対接されたフェルールの端面が光コネクタプラグの回転により損傷することを防止できる。
【００３５】
なお、本実施の形態においては、凹部３０２３を４個設けたが、２個以上であればよく、数を増やすことにより９０°折り曲げられた光ファイバの引き出し方向の選択の幅を増やすことができる。
【図面の簡単な説明】
【００３６】
【図１】本発明に係る光コネクタ用プラグアダプタを示し、同図（Ａ）は側面図、同図（Ｂ）は同図（Ａ）におけるI（Ｂ）-I（Ｂ） 線断面図、同図（Ｃ）は同図（Ａ）におけるI（Ｃ）-I（Ｃ） 線断面図である。
【図２】本発明に係る光コネクタ用プラグアダプタにおける第１のハウジングを示し、同図（Ａ）は側面図、同図（Ｂ）は同図（Ａ）におけるII（Ｂ）-II（Ｂ） 線断面図、同図（Ｃ）は同図（Ａ）におけるII（Ｃ）-II（Ｃ） 線断面図である。
【図３】本発明に係る光コネクタ用プラグアダプタにおける第２のハウジングを示し、同図（Ａ）は側面図、同図（Ｂ）は同図（Ａ）におけるIII（Ｂ）-III（Ｂ） 線断面図、同図（Ｃ）は同図（Ａ）におけるIII（Ｃ）-III（Ｃ） 線断面図である。
【図４】本発明に係る光コネクタ用プラグアダプタにおけるプラグ装着部材を示し、同図（Ａ）は側断面図、同図（Ｂ）は同図（Ａ）におけるIV（Ｂ）矢視図、同図（Ｃ）は同図（Ａ）におけるIV（Ｃ）矢視図、同図（Ｄ）は同図（Ｃ）におけるIV（Ｄ）-IV（Ｄ） 線断面図、同図（Ｅ）は同図（Ｄ）におけるIV（Ｅ）矢視図である。
【図５】本発明に係る光コネクタ用プラグアダプタにおける板ばねを示し、同図（Ａ）は平面図、同図（Ｂ）は正面図である。
【図６】本発明に係る光コネクタ用プラグアダプタにおける蓋体を示し、同図（Ａ）は平面図、同図（Ｂ）は正面図である。
【図７】本発明に係る光コネクタ用プラグアダプタにおける結合部材を示し、同図（Ａ）は正面図、同図（Ｂ）は側面図である。
【符号の説明】
【００３７】
１…光コネクタ用プラグアダプタ、１４Ａ，１４Ｂ…アダプタ部、２０…第１のハウジング、３０…第２のハウジング、４０…プラグ装着部材、４４…ワッシャ、４６…雄ねじ部材、４９…スリーブ、５０…板ばね（付勢手段）、６０…蓋体、７０…結合部材、８０…ピン、１００…回転規制手段、３０２１…内周面、３０２３…凹部（係入部）、４０１…第３のフランジ、４０２…第４の膨出部、４０２１…凹部、４０２２…小孔、７０２…結合部、７０４…弾性係止片（保持手段）。
【図１】
2006119213.tif 000003
【図２】
2006119213.tif 000004
【図３】
2006119213.tif 000005
【図４】
2006119213.tif 000006
【図５】
2006119213.tif 000007
【図６】
2006119213.tif 000008
【図７】
2006119213.tif 000009